(57)【要約】  本方法は、加盟店にクレジットをリクエストするカード保有者に対してイシュアーによって発行されたアカウントを調整する金融サービスプロバイダを含むシステムで用いられる。各加盟店は、金融サービスプロバイダが共にアカウントを調整するアクワイアラーを有する。本方法は、加盟店が、否認を受け取るか又は当該否認を受け取る前に１つのアカウントに対する取引のリクエストを含む送信メッセージをアクワイアラーに送信することよって実行することができる。【選択図】図２
2010528391.tif 000002
【特許請求の範囲】
【請求項１】
イシュアーによってアカウント保有者に対して発行されたアカウントを調整する取引ハンドラを備え、各アカウント保有者が、前記対応するアカウントにおける取引のオーソリゼーションリクエストを加盟店に行い、該各加盟店がアクワイアラーを有し、該アクワイアラーと共に前記取引ハンドラが、前記取引のオーソリゼーションリクエストを行う前記アカウント保有者のアカウントを調整するシステムにおいて、
前記加盟店において、前記対応するアカウント保有者の１つのアカウントに対する取引のオーソリゼーションリクエストを含む、前記加盟店のアクワイアラー宛ての送信メッセージを形成する段階と、
前記加盟店において、前記アカウントに関する前記取引のオーソリゼーションリクエストに応答して、前記アカウントに関する前記取引のオーソリゼーションリクエストの否認を含む送信メッセージを前記加盟店のアクワイアラーから受け取る段階と、
前記受け取った否認に応答して、前記加盟店において、前記アカウントについての情報リクエストを含む、前記アカウントに対応する前記取引ハンドラ宛ての送信メッセージを形成する段階と、
前記加盟店において、前記アカウントについて前記リクエストした情報を含む送信メッセージを前記取引ハンドラから受け取る段階と、
前記アカウントに対する変更の受け取りに応答して、前記加盟店において、前記受け取った、アカウントに対する変更が予め定められた基準に反するかを問い、前記対応するアカウント保有者のアカウントに対する前記取引を承認するか否かを判断する段階と、
を含む方法。
【請求項２】
各前記アカウント保有者がカード保有者を含み、
前記取引ハンドラが金融サービスプロバイダを含み、
前記対応するアカウント保有者による各前記取引のための各前記アカウントにおける各前記オーソリゼーションリクエストが、対応する前記カード保有者のアカウントにおいてクレジットを供与するためのリクエストを含む、
請求項１に記載の方法。
【請求項３】
前記否認を受け取った前記アカウントについての前記情報リクエストと、前記否認を受け取った前記アカウントについての前記リクエストされた情報とに対応するデータを含めるために双方向ユーザインタフェースを提供する段階を更に含む、
請求項１に記載の方法。
【請求項４】
前記取引ハンドラ宛ての前記送信メッセージを送信し、前記アカウントについての前記リクエストされた情報を含む前記送信メッセージを前記取引ハンドラから受け取るために、前記加盟店において前記取引ハンドラへのリアルタイムアクセスのための手段を提供する段階を更に含む、
請求項１に記載の方法。
【請求項５】
リアルタイムアクセスのための前記手段が、サーバネットワークのためのブラウザアプリケーションを含む、
請求項４に記載の方法。
【請求項６】
コンピューティングデバイスによって実行されたときに、請求項１の前記方法を実行する命令を含むコンピュータ読み出し可能媒体。
【請求項７】
イシュアーによってアカウント保有者に対して発行されたアカウントを調整する取引ハンドラを備え、各アカウント保有者が、前記対応するアカウントにおける取引のオーソリゼーションリクエストを加盟店に行い、該各加盟店がアクワイアラーを有し、該アクワイアラーと共に前記取引ハンドラが、前記取引のオーソリゼーションリクエストを行う前記アカウント保有者のアカウントを調整し、前記対応するアカウント保有者の１つのアカウントに対する前記取引のオーソリゼーションリクエストが１つの前記加盟店のアクワイアラーに送信されており、１つの前記加盟店において、前記アカウントに関する前記取引のオーソリゼーションリクエストに応答して、１つの前記アカウント保有者の１つのアカウントに関する前記取引のオーソリゼーションリクエストの否認を含む送信メッセージを、１つの前記加盟店のアクワイアラーから受け取っているシステムにおいて、
前記取引ハンドラにおいて、１つの前記加盟店によって受け取られた前記否認に応答して、１つの前記アカウントについての情報リクエストを含む送信メッセージを１つの前記加盟店から受け取る段階と、
前記取引ハンドラにおいて、１つの前記加盟店からの前記アカウントについての前記情報リクエストに応答して、１つの前記アカウントについての前記リクエストされた情報を含む送信メッセージを形成する段階と、
を含む方法。
【請求項８】
各前記アカウント保有者がカード保有者を含み、
前記取引ハンドラが金融サービスプロバイダを含み、
前記対応するアカウント保有者による各前記取引のための各前記アカウントにおける各前記オーソリゼーションリクエストが、対応する前記カード保有者のアカウントにおいてクレジットを供与するためのリクエストを含む、
請求項７に記載の方法。
【請求項９】
前記アカウントについての前記リクエストされた情報は、１つの前記加盟店が予め定められた基準に反するかを問い、前記アカウントに対する前記取引のオーソリゼーションリクエストに応答して前記取引を承認するか否かを判断するのに十分である、
請求項７に記載の方法。
【請求項１０】
１つの前記加盟店が１つの前記アカウントについての情報をリクエストするのに使用するために、前記取引ハンドラへのリアルタイムアクセスのための手段を提供する段階を更に含む、
請求項７に記載の方法。
【請求項１１】
リアルタイムアクセスのための前記手段が、サーバネットワークと通信し且つ１つの前記加盟店によって操作されるブラウザアプリケーションに応答可能なサーバを含む、
請求項１０に記載の方法。
【請求項１２】
コンピューティングデバイスによって実行されたときに、請求項７の前記方法を実行する命令を含むコンピュータ読み出し可能媒体。
【請求項１３】
イシュアーによってアカウント保有者に対して発行されたアカウントを調整する取引ハンドラを備え、各アカウント保有者が、前記対応するアカウントにおける取引のオーソリゼーションリクエストを加盟店に行い、該各加盟店がアクワイアラーを有し、該アクワイアラーと共に前記取引ハンドラが前記アカウント保有者のアカウントを調整するシステムにおいて、
加盟店において、アカウントに対するあらゆる変更を判断するために複数の前記アカウントのバッチ比較をリクエストする、前記加盟店のアクワイアラー宛ての送信メッセージを形成する段階と、
前記バッチ比較の前記リクエストに応答して、前記加盟店において、前記リクエストされた、前記アカウントの各々に対する変更をそれぞれ含む送信メッセージを前記加盟店のアクワイアラーから受け取る段階と、
前記加盟店において、前記受け取った、アカウントに対するそれぞれの変更で前記複数のアカウントをバッチ更新する段階と、
前記加盟店において、前記対応するアカウント保有者の前記対応するアカウントにおける取引のオーソリゼーションリクエストを含む前記加盟店のアクワイアラー宛ての送信メッセージを形成する段階と、
前記加盟店において、前記オーソリゼーションリクエストに応答して、前記対応するアカウント保有者の前記対応するアカウントにおける前記取引のオーソリゼーションリクエストの否認を含む送信メッセージを前記加盟店のアクワイアラーから受け取る段階と、
前記受け取った否認に応答して、前記加盟店において、１つの前記アカウントに対する最後のバッチ更新以降の前記アカウントに対する変更内容のリクエストを含む、前記取引ハンドラ宛ての送信メッセージを形成する段階と、
前記加盟店において、１つの前記アカウントに対する前記最後のバッチ更新以降の前記アカウントに対する変更を含む送信メッセージを前記取引ハンドラから受け取る段階と、
１つの前記アカウントに対する前記最後のバッチ更新以降の１つの前記アカウントに対する変更の受け取りに応答して、前記加盟店において、前記受け取ったアカウントに対する変更が予め定められた基準に反するかを問い、前記対応するアカウント保有者の前記対応するアカウントにおける前記取引を承認するか否かを判断する段階と、
を含む方法。
【請求項１４】
各前記アカウント保有者がカード保有者を含み、
前記取引ハンドラが金融サービスプロバイダを含み、
前記対応するアカウント保有者による各前記取引のための各前記アカウントにおける各前記オーソリゼーションリクエストが、対応する前記カード保有者のアカウントにおいてクレジットを供与するためのリクエストを含む、
請求項１３に記載の方法。
【請求項１５】
前記否認を受け取った１つの前記アカウントについての前記情報リクエストと、前記否認を受け取った１つの前記アカウントについての前記リクエストされた情報とに対応するデータを含めるために双方向ユーザインタフェースを提供する段階を更に含む、
請求項１３に記載の方法。
【請求項１６】
前記金融サービスプロバイダ宛ての前記送信メッセージを送信し、１つの前記アカウントについての前記リクエストされた情報を含む前記送信メッセージを前記金融サービスプロバイダから受け取るために、前記加盟店において、前記金融サービスプロバイダへのリアルタイムアクセスのための手段を提供する段階を更に含む、
請求項１４に記載の方法。
【請求項１７】
リアルタイムアクセスのための前記手段が、サーバネットワークのためのブラウザアプリケーションを含む、
請求項１６に記載の方法。
【請求項１８】
コンピューティングデバイスによって実行されたときに、請求項１３の前記方法を実行する命令を含むコンピュータ読み出し可能媒体。
【請求項１９】
アカウント保有者によってアカウントが保有され、イシュアーがそれぞれの前記アカウントを前記アカウント保有者に発行し、加盟店が、前記アカウント保有者による取引のために前記アカウントにおけるオーソリゼーションリクエストを受け取り、アクワイアラーが、前記アカウント保有者による取引に関して前記アカウントにおけるオーソリゼーションリクエストを前記加盟店から受け取り、前記アクワイアラーが、前記対応するイシュアーと通信して、前記アカウント保有者による取引に関して前記アカウントにおける各前記オーソリゼーションリクエストを承認するか又は拒否するかを判断し、取引ハンドラが、前記イシュアー、前記加盟店、及び前記加盟店のアクワイアラーと各前記アカウント保有者の各前記アカウントを調整し、前記取引ハンドラが、前記イシュアーがそれぞれの前記アカウントを発行したそれぞれの前記アカウント保有者について更新されたアカウント情報を前記イシュアーから受け取るシステムにおいて、
前記取引ハンドラにおいて、１つの前記アカウント保有者の１つのアカウントに関して更新されたアカウント情報を１つの前記イシュアーから受け取る段階と、
前記取引ハンドラにおいて、取引に関して前記対応するアカウントにおけるオーソリゼーションを１つの前記加盟店にリクエストする１人の前記アカウント保有者についてのアカウント情報のリクエストを含む送信メッセージを１つの前記加盟店から受け取る段階と、
１つの前記イシュアーから受け取った前記リクエストされた更新済みのアカウント情報を含む、１つの前記加盟店宛ての送信メッセージを前記取引ハンドラから送信する段階と、
を含む方法。
【請求項２０】
各前記アカウント保有者がカード保有者を含み、
前記取引ハンドラが金融サービスプロバイダを含み、
前記対応するアカウント保有者による各前記取引のための各前記アカウントにおける各前記オーソリゼーションリクエストが、対応する前記カード保有者のアカウントにおいてクレジットを供与するためのリクエストを含む、
請求項１９に記載の方法。
【請求項２１】
前記アカウントについての前記リクエストされた情報は、１つの前記加盟店が予め定められた基準に反するかを問い、前記カード保有者のアカウントにおけるクレジットを１つの前記加盟店にリクエストする前記１人のカード保有者に応答して前記クレジットを供与するか否かを判断するのに十分である、
請求項２０に記載の方法。
【請求項２２】
１つの前記加盟店が１つの前記アカウントについての情報をリクエストするのに使用するために、前記金融サービスプロバイダへのリアルタイムアクセスのための手段を提供する段階を更に含む、
請求項２０に記載の方法。
【請求項２３】
リアルタイムアクセスのための前記手段が、サーバネットワークと通信し且つ１つの前記加盟店によって操作されるブラウザアプリケーションに応答可能なサーバを含む、
請求項２２に記載の方法。
【請求項２４】
コンピューティングデバイスによって実行されたときに、請求項１９の前記方法を実行する命令を含むコンピュータ読み出し可能媒体。
【請求項２５】
アカウント保有者によってアカウントが保有され、イシュアーがそれぞれの前記アカウントを前記アカウント保有者に発行し、加盟店が、前記アカウント保有者による取引のために前記アカウントにおけるオーソリゼーションリクエストを受け取り、アクワイアラーが、前記取引のオーソリゼーションリクエストを前記加盟店から受け取り、前記アクワイアラーが、前記対応するイシュアーと通信して、それぞれの前記アカウント保有者のアカウントにおいて前記リクエストされた各取引を承認するか又は拒否するかを判断し、取引ハンドラが、前記イシュアー、前記加盟店、及び前記加盟店のアクワイアラーと各前記アカウント保有者の各前記アカウントを調整し、前記取引ハンドラが、前記イシュアーがそれぞれの前記アカウントを発行したそれぞれの前記アカウント保有者について更新されたアカウント情報を前記イシュアーから受け取るシステムにおいて、
１つの前記加盟店において、単一の前記アカウントに関して単一の前記取引のための更新された情報のリクエストを含む、前記取引ハンドラ宛ての送信メッセージを形成する段階と、
１つの前記加盟店において、１つの前記アカウントに関して前記リクエストしたアカウント情報を含む送信メッセージを前記取引ハンドラから受け取る段階と、
を含む方法。
【請求項２６】
各前記アカウント保有者がカード保有者を含み、
前記取引ハンドラが金融サービスプロバイダを含み、
前記対応するアカウント保有者の各前記取引のための各前記アカウントにおける各前記オーソリゼーションリクエストが、対応する前記カード保有者のアカウントにおいてクレジットを供与するためのリクエストを含む、
請求項２５に記載の方法。
【請求項２７】
１つの前記加盟店が、前記金融サービスプロバイダから受け取る前記リクエストされたアカウント情報に基づいて１つの前記アカウントにクレジットを供与する段階を更に含む、
請求項２６に記載の方法。
【請求項２８】
１つの前記加盟店は、１つの前記加盟店のアクワイアラーとの通信の前に、及び１つの前記アカウントに前記クレジットを供与するためのオーソリゼーションの否認を含む送信メッセージを１つの前記加盟店のアクワイアラーから受け取った後に前記クレジットの供与を行う、
請求項２７に記載の方法。
【請求項２９】
前記否認を受け取った前記アカウントについての前記情報リクエストと、前記否認を受け取った前記アカウントについての前記リクエストされた情報とに対応するデータを含めるために双方向ユーザインタフェースを提供する段階を更に含む、
請求項２５に記載の方法。
【請求項３０】
前記金融サービスプロバイダ宛ての前記送信メッセージを送信し、前記アカウントについての前記リクエストされた情報を含む前記送信メッセージを前記金融サービスプロバイダから受け取るために、前記加盟店において前記金融サービスプロバイダへのリアルタイムアクセスのための手段を提供する段階を更に含む、
請求項２６に記載の方法。
【請求項３１】
リアルタイムアクセスのための前記手段が、サーバネットワークのためのブラウザアプリケーションを含む、
請求項３０に記載の方法。
【請求項３２】
コンピューティングデバイスによって実行されたときに、請求項２５の前記方法を実行する命令を含むコンピュータ読み出し可能媒体。
【請求項３３】
イシュアーによってアカウント保有者に対して発行されたアカウントを調整する取引ハンドラを備え、各アカウント保有者が、前記対応するアカウント保有者の前記対応するアカウントにおける取引のオーソリゼーションリクエストを加盟店に行い、該各加盟店がアクワイアラーを有し、該アクワイアラーと共に前記取引ハンドラが、前記対応するアカウント保有者の前記対応するアカウントにおける前記取引のオーソリゼーションリクエストを行う前記アカウント保有者のアカウントを調整するシステムにおいて、
前記対応するアカウント保有者の１つのアカウントに対する取引のオーソリゼーションリクエストを含む、前記加盟店のアクワイアラー宛ての送信メッセージを形成する手段と、
前記対応するアカウント保有者の１つのアカウントに対する前記取引のオーソリゼーションリクエストの否認を含む送信メッセージを前記加盟店のアクワイアラーから受け取る手段と、
前記受け取った否認に応答して、１つの前記アカウントについての情報リクエストを含む、１つの前記アカウントに対応する前記取引ハンドラ宛ての送信メッセージを前記加盟店において形成する手段と、
前記アカウントについて前記リクエストした情報を含む送信メッセージを前記取引ハンドラから受け取る手段と、
前記アカウントに対する変更の受け取りに応答して、前記受け取った、アカウントに対する変更が予め定められた基準に反するかを問い、前記対応するアカウント保有者の１つのアカウントに対する前記取引を承認するか否かを判断する手段と、
を含む加盟店。
【請求項３４】
各前記アカウント保有者がカード保有者を含み、
前記取引ハンドラが金融サービスプロバイダを含み、
前記対応するアカウント保有者の各前記取引のための対応する前記アカウントにおける各前記オーソリゼーションリクエストが、対応する前記カード保有者のアカウントにおいてクレジットを供与するためのリクエストを含む、
請求項３３に記載の加盟店。
【請求項３５】
前記否認を受け取った前記アカウントについての前記情報リクエストと、前記否認を受け取った前記アカウントについての前記リクエストされた情報とに対応するデータを含めるために双方向ユーザインタフェースを提供する手段を更に含む、
請求項３３に記載の加盟店。
【請求項３６】
前記金融サービスプロバイダ宛ての前記送信メッセージを送信し、前記アカウントについての前記リクエストされた情報を含む前記送信メッセージを前記金融サービスプロバイダから受け取るために、前記加盟店において前記金融サービスプロバイダへのリアルタイムアクセスのための手段を提供することを更に含む、
請求項３４に記載の加盟店。
【請求項３７】
リアルタイムアクセスのための前記手段が、サーバネットワークのためのブラウザアプリケーションを含む、
請求項３６に記載の加盟店。
【請求項３８】
イシュアーによってアカウント保有者に対して発行されたアカウントを調整する取引ハンドラを備え、各アカウント保有者が、前記対応するアカウントにおける取引のオーソリゼーションリクエストを加盟店に行い、該各加盟店がアクワイアラーを有し、該アクワイアラーと共に前記取引ハンドラが、前記取引のオーソリゼーションリクエストを行う前記アカウント保有者のアカウントを調整するシステムにおいて、
アカウントに対するあらゆる変更を判断するために複数のアカウントのバッチ比較をリクエストする、前記加盟店のアクワイアラー宛ての送信メッセージを形成する手段と、
前記バッチ比較の前記リクエストに応答して、前記加盟店において、前記リクエストされた、前記アカウントの各々に対する変更をそれぞれ含む送信メッセージを前記加盟店のアクワイアラーから受け取る手段と、
前記受け取った、アカウントに対するそれぞれの変更で前記複数のアカウントをバッチ更新する手段と、
前記対応するアカウント保有者の対応する１つの前記アカウントに対する取引のオーソリゼーションリクエストを含む前記加盟店のアクワイアラー宛ての送信メッセージを形成する手段と、
前記オーソリゼーションリクエストに応答して、前記取引のオーソリゼーションリクエストの否認を含む送信メッセージを前記加盟店のアクワイアラーから受け取る手段と、
前記受け取った否認に応答して、前記対応するアカウント保有者の１つのアカウントに対する最後のバッチ更新以降の前記アカウントに対する変更内容のリクエストを含む、前記取引ハンドラ宛ての送信メッセージを形成する手段と、
１つの前記アカウントに対する前記最後のバッチ更新以降の前記アカウントに対する変更を含む送信メッセージを前記金融サービスプロバイダから受け取る手段と、
１つの前記アカウントに対する前記最後のバッチ更新以降の１つの前記アカウントに対する変更の受け取りに応答して、前記受け取ったアカウントに対する変更が予め定められた基準に反するかを問い、前記対応するアカウント保有者の１つのアカウントに対する前記取引を承認するか否かを判断する手段と、
を含む加盟店。
【請求項３９】
各前記アカウント保有者がカード保有者を含み、
前記取引ハンドラが金融サービスプロバイダを含み、
前記対応するアカウント保有者の１つのアカウントに関する前記取引の各前記オーソリゼーションリクエストが、対応する前記カード保有者のアカウントにおいてクレジットを供与するためのリクエストを含む、
請求項３８に記載の加盟店。
【請求項４０】
前記否認を受け取った１つの前記アカウントについての前記情報リクエストと、前記否認を受け取った１つの前記アカウントについての前記リクエストされた情報とに対応するデータを含めるために双方向ユーザインタフェースを提供することを更に含む、
請求項３８に記載の加盟店。
【請求項４１】
前記金融サービスプロバイダ宛ての前記送信メッセージを送信し、１つの前記アカウントについての前記リクエストされた情報を含む前記送信メッセージを前記金融サービスプロバイダから受け取るために、前記加盟店において前記金融サービスプロバイダへのリアルタイムアクセスのための手段を提供することを更に含む、
請求項３９に記載の加盟店。
【請求項４２】
リアルタイムアクセスのための前記手段が、サーバネットワークのためのブラウザアプリケーションを含む、
請求項４１に記載の加盟店。
【請求項４３】
アカウント保有者によってアカウントが保有され、イシュアーがそれぞれの前記アカウントを前記アカウント保有者に発行し、加盟店が、前記アカウント保有者による取引のために前記アカウントにおけるオーソリゼーションリクエストを受け取り、アクワイアラーが、取引のオーソリゼーションリクエストを前記加盟店から受け取り、前記アクワイアラーが、前記対応するイシュアーと通信して、それぞれの前記アカウント保有者のアカウントに関して前記各リクエストされた取引を承認するか又は拒否するかを判断し、取引ハンドラが、前記イシュアー、前記加盟店、及び前記加盟店のアクワイアラーと各前記アカウント保有者の各前記アカウントを調整し、前記取引ハンドラが、前記イシュアーがそれぞれの前記アカウントを発行したそれぞれの前記アカウント保有者について更新されたアカウント情報を前記イシュアーから受け取るシステムにおいて、
１つの前記アカウント保有者の１つのアカウントに関して更新されたアカウント情報を１つの前記イシュアーから受け取る手段と、
前記アカウント保有者のアカウントにおけるオーソリゼーションを１つの前記加盟店にリクエストする１人の前記アカウント保有者についてのアカウント情報のリクエストを含む送信メッセージを１つの前記加盟店から受け取る手段と、
１つの前記イシュアーから受け取った前記リクエストされた更新済みのアカウント情報を含む、１つの前記加盟店宛ての送信メッセージを送信する手段と、
を含む取引ハンドラ。
【請求項４４】
各前記アカウント保有者がカード保有者を含み、
前記取引ハンドラが金融サービスプロバイダを含み、
各前記アカウント保有者による各前記取引のための各前記アカウントにおける各前記オーソリゼーションリクエストが、対応する前記カード保有者のアカウントにおいてクレジットを供与するためのリクエストを含む、
請求項４３に記載の取引ハンドラ。
【請求項４５】
前記アカウントについての前記リクエストされた情報は、１つの前記加盟店が予め定められた基準に反するかを問い、前記カード保有者のアカウントにおけるクレジットを１つの前記加盟店にリクエストする前記１人のカード保有者に応答して前記クレジットを供与するか否かを判断するのに十分である、
請求項４４に記載の取引ハンドラ。
【請求項４６】
１つの前記加盟店が１つの前記アカウントについての情報をリクエストするのに使用するために、リアルタイムアクセスのための手段を更に備える、
請求項４３に記載の取引ハンドラ。
【請求項４７】
リアルタイムアクセスのための前記手段が、サーバネットワークと通信し且つ１つの前記加盟店によって操作されるブラウザアプリケーションに応答可能なサーバを含む、
請求項４６に記載の取引ハンドラ。
【請求項４８】
アカウント保有者によってアカウントが保有され、イシュアーがそれぞれの前記アカウントを前記アカウント保有者に発行し、加盟店が、前記アカウント保有者による取引のために前記アカウントにおけるオーソリゼーションリクエストを受け取り、アクワイアラーが、オーソリゼーションリクエストを前記加盟店から受け取り、前記アクワイアラーが、前記対応するイシュアーと通信して、それぞれの前記アカウント保有者のアカウントに関して前記リクエストされた各取引を承認するか又は拒否するかを判断し、取引ハンドラが、前記イシュアー、前記加盟店、及び前記加盟店のアクワイアラーと各前記アカウント保有者の各前記アカウントを調整し、前記取引ハンドラが、前記イシュアーがそれぞれの前記アカウントを発行したそれぞれの前記アカウント保有者について更新されたアカウント情報を前記イシュアーから受け取るシステムにおいて、
単一の前記アカウントに関して単一の前記取引のための更新された情報のリクエストを含む、前記取引ハンドラ宛ての送信メッセージを形成する手段と、
１つの前記アカウントに関して前記リクエストしたアカウント情報を含む送信メッセージを前記取引ハンドラから受け取る手段と、
を含む加盟店。
【請求項４９】
各前記アカウント保有者がカード保有者を含み、
前記取引ハンドラが金融サービスプロバイダを含み、
各前記アカウント保有者による各前記取引のための各前記アカウントにおける各前記オーソリゼーションリクエストが、対応する前記カード保有者のアカウントにおいてクレジットを供与するためのリクエストを含む、
請求項４８に記載の加盟店。
【請求項５０】
１つの前記加盟店が、前記金融サービスプロバイダから受け取る前記リクエストされたアカウント情報に基づいて１つの前記アカウントにクレジットを供与することを更に含む、
請求項４９に記載の加盟店。
【請求項５１】
１つの前記加盟店のアクワイアラーとの通信の前に、及び１つの前記アカウントに前記クレジットを供与するためのオーソリゼーションの否認を含む送信メッセージを１つの前記加盟店のアクワイアラーから受け取った後に、前記クレジットの供与を行う手段を更に含む、
請求項５０に記載の加盟店。
【請求項５２】
前記否認を受け取った前記アカウントについての前記情報リクエストと、前記否認を受け取った前記アカウントについての前記リクエストされた情報とに対応するデータを含めるために双方向ユーザインタフェースを提供する手段を更に含む、
請求項４８に記載の加盟店。
【請求項５３】
前記金融サービスプロバイダ宛ての前記送信メッセージを送信し、前記アカウントについての前記リクエストされた情報を含む前記送信メッセージを前記金融サービスプロバイダから受け取るために、前記金融サービスプロバイダへのリアルタイムアクセスのための手段を提供することを更に含む、
請求項４９に記載の加盟店。
【請求項５４】
リアルタイムアクセスのための前記手段が、サーバネットワークのためのブラウザアプリケーションを含む、
請求項５３に記載の加盟店。
【発明の詳細な説明】
【技術分野】
【０００１】
〔関連出願に対する相互参照〕
本出願は、「リアルタイムのアカウント更新」という名称で２００７年５月３０日に出願され、その内容全体が引用により本明細書に組み込まれる米国特許出願番号１１／７５５，６７０に対する優先権及び利益を主張する。
【０００２】
本発明は、一般に、金融取引に関し、具体的には、加盟店(merchant)との取引をリクエストする顧客に関し、より具体的には、加盟店が、金融取引に伴う顧客のアカウントステータスを調査して更新するための技術に関し、ここで、金融取引は、限定ではないが、クレジットカード、ＡＴＭカード、デビットカード、為替、ギフトカード、電信送金為替、トラベラーズチェック、又は上記の組み合わせを含む、電子決済手段で実施することができる。
【背景技術】
【０００３】
クレジットカード取引を含む取引は、加盟店とカード保有者との間の多数の購入及び販売に関して使用される。しかしながら、正常なカード取引は、カードを所有するアカウント保有者、加盟店、アクワイアラー、イシュアー、及び取引ハンドラ(handler)を含む多くの当事者が関与している。限定ではなく例証として、公知の取引ハンドラは、ＶＩＳＡ（商標）カード協会である。アクワイアラーとは、加盟店と業務関係を有して当該加盟店からの取引の一部又は全てを受け取る企業体、例えば商業銀行である。イシュアーとは、カード保有者に対してカードを発行する企業体である。カード協会は、通常、カードの発行及びカード取引の処理を円滑にする申請手続きのネットワークを有する。限定ではなく例証として、ＶＩＳＡ（商標）カード協会は、ＶｉｓａＮｅｔ（商標）ネットワークサービスを提供する。ＶｉｓａＮｅｔ（商標）ネットワークサービスは、信頼できる安全な方法で取引を処理するためのコンピュータシステムを提供する。
【０００４】
取引において、アカウント保有者のアカウントを表すカードが加盟店に呈示される。加盟店、アクワイアラー、イシュアー、及び取引ハンドラは、アカウント保有者のリクエストする取引を承認するか否かを協同して判断する。取引のオーソリゼーション（信用承認）が加盟店によって受け取られない場合がある。加盟店がアクワイアラーからオーソリゼーションの否認を受け取った後に、アカウント保有者のアカウントに加盟店がクレジットを供与可能にする１つ又はそれ以上の技術を提供することは、当該分野における進歩であり、ここでの１つ又はそれ以上の技術は、要求に応答してカード保有者のアカウントについての最近の情報を加盟店が確認できるようにすることを含む。カード保有者のアカウント情報への加盟店の調査は、カード保有者のアカウントを用いて加盟店が取引を始めることができる十分な情報を提供することができ、そうでない場合には、取引の拒否及び忠実な大口顧客に対する取引が失われる結果となる。
【先行技術文献】
【特許文献】
【０００５】
【特許文献１】米国出願番号１１／７５５，６７０
【発明の概要】
【０００６】
本方法は、加盟店との取引をリクエストするカード保有者に対してイシュアーによって発行されたアカウントを調整(coordinate)するために、金融サービスプロバイダなどの取引ハンドラを各々含む１つ又はそれ以上のシステムにおいて使用される。各加盟店は、取引ハンドラが共にアカウントを調整するアクワイアラーを有する。本方法はまた、加盟店が、否認を受け取るアカウントに対する取引のリクエストを含む送信メッセージをアクワイアラーに送信することによって実行することができる。本方法はまた、カード保有者によって取引が試みられたときに、加盟店が否認を受け取ってはいないが、否認があるか否かを加盟店が事前に判断したい場合に、１つのアカウントに対する取引のリクエストを含む送信メッセージをアクワイアラーに送信する加盟店によって実行することができる。加盟店は次に、取引ハンドラに対して情報をリクエストし、該取引ハンドラは、リクエストされた情報を送信することによって応答し、ここで、加盟店は、取引についてリクエストされた情報を用いて、オーソリゼーションを求めて取引を再送出する。本方法が取引ハンドラによって実行される場合、１つの加盟店によって受け取られた否認に応答して方法が実行されるか否かに関わらず、取引ハンドラは、取引のアカウントについての情報のリクエストを含む送信メッセージを加盟店から受け取る。これに応答して、取引ハンドラは、リクエストされた情報を加盟店に送信する。
【０００７】
図面及び請求項を含む本明細書の他の部分を参照すると、本発明の他の特徴及び利点が理解されるであろう。本発明の更なる特徴及び利点、並びに本発明の様々な実施形態の構造及び動作について、同じ参照符号が同一又は機能的に同様の要素を示す添付図面に関連して以下で詳細に説明する。
【図面の簡単な説明】
【０００８】
【図１】電子決済手段の取引（すなわち、クレジットカード取引）を承認して対価を支払う金融サービスの提供を示す図である。
【図２】電子決済手段の取引（すなわち、クレジットカード取引）を承認する金融サービスを提供するための１つの実施を示した関連する例示的な処理の図である。
【図３】電子決済手段の取引（すなわち、クレジットカード取引）を承認する金融サービスを提供するための１つの実施を示した関連する例示的なシステム図である。
【図４】電子決済手段の取引（すなわち、クレジットカード取引）を承認する金融サービスを提供するための別の実施を示した関連する例示的な処理の図である。
【図５】電子決済手段の取引（すなわち、クレジットカード取引）を承認する金融サービスを提供するための別の実施を示した関連する例示的なシステム図である。
【図６】電子決済手段の取引（すなわち、クレジットカード取引）を承認する金融サービスを提供するための更に別の実施を示した関連する例示的な処理の図である。
【図７】電子決済手段の取引（すなわち、クレジットカード取引）を承認する金融サービスを提供するための更に別の実施を示した関連する例示的なシステム図である。
【発明を実施するための形態】
【０００９】
本開示及び図全体にわたって同じ数字を用いて同様の構成要素及び特徴を参照する添付図面との関連において本発明を説明する。
一般に、取引は、取引ハンドラ、アカウント保有者又はカード保有者などのユーザ、加盟店、アクワイアラー、及びイシュアーの関与を含む。通常、アカウント保有者は、取引に関連してカード上の数字などのアカウント識別子を加盟店に呈示する。取引は、商品又はサービスの購入、或いはロイヤリティインセンティブの償還を含むことができる。イシュアーは、取引ハンドラを用いて取引金額を承認することができる。取引ハンドラはまた、取引を清算することもできる。オーソリゼーションは、イシュアー、又はイシュアーの代わりの取引ハンドラが、業務ルールの使用などによるイシュアーの指示に関して取引金額を承認することを含む。業務ルールは、取引ハンドラ、アカウント保有者、加盟店、アクワイアラー、イシュアー又は金融機関、或いはこれらの組み合わせからの指示又はガイドラインを含むことができる。取引ハンドラは、承認された取引のログを保持することができる。承認されると、加盟店は、オーソリゼーションを記録して、アカウント保有者が商品又はサービスを受け取れるようにする。
【００１０】
加盟店は、一日の終わりなど離散的な時間期間において、承認された取引のリストをアクワイアラー又は取引ハンドラに提出する。取引ハンドラは、提出された承認取引リストを、自己の承認取引ログと比較することができる。一致が確認された場合、取引ハンドラは、対応するアクワイアラーからのオーソリゼーション取引金額リクエストを各取引に関わる対応するイシュアーに転送することができる。アクワイアラーが、承認された取引金額の支払金をイシュアーから受け取ると、手数料などのあらゆる取引コストを差し引いてその支払金を加盟店に転送することができる。取引がデビット又はプリペイドカードを伴う場合、アクワイアラーは、加盟店に支払う前に初期支払金を待たないように選択することができる。
【００１１】
この処理には断続的な段階が可能であり、これらの一部は同時に発生することができる。例えば、アクワイアラーは、清算(clearing)及び決済(settlement)処理を開始することができ、これは、結果として取引金額の支払いをアクワイアラーに対して行うことができる。アクワイアラーは、取引ハンドラに取引を清算し決済するようにリクエストすることができる。清算は、イシュアーとアクワイアラーとの間での金融情報の交換を含み、決済は資金の交換を含む。取引ハンドラは、取引の決済に関連したサービスを提供することができる。取引の決済は、取引ハンドラが通常選択する決済銀行などのセトルメントハウスから、アクワイアラーが通常選択するクリアリングバンクなどのクリアリングハウスに取引決済の金額を預け入れる段階を含む。イシュアーは、イシュアーが通常選択するクリアリングバンクなどのクリアリングハウスから、同じ金額をセトルメントハウスに預け入れる。従って、通常の取引は、取引の処理のリクエスト、承認、及び遂行を行うために様々なエンティティを含む。
【００１２】
前述の一般的な取引シナリオのより具体的な実施例を示すために、図１は、特定の金融取引システムの実施１００を示す図である。用語として、図１の図面要素１２０、１３０、１４０は、単一のボックスで表しているが、図示の添字が付与される１つ又はそれ以上の要素を示す。例えば、イシュアー（ｊ）１４０は、可能性のある複数のイシュアーのうちの１つであり、ここでｊは１から無限数に及ぶことができる。
【００１３】
アカウント保有者１３０は、商品の購入などの金融取引のための通貨として電子決済手段（すなわち、クレジットカード）を加盟店１２０に呈示する（ステップ１４５において）。当業者であれば、限定ではないが、ＡＴＭカード、デビットカード、為替、ギフトカード、電信送金為替、トラベラーズチェック、又は上記の組み合わせを含むクレジットカード以外の他の金融取引及び金融商品もまた使用することができる点は認識されるであろう。しかしながら、例証及び説明の目的のためにクレジットカードについて述べる。
【００１４】
取引の一部として、アカウント保有者１３０のクレジットカードは通常、加盟店１２０によって磁気カード読取機で走査又はそこに通されて、その結果、アカウント情報がカードから読み取られて、オーソリゼーションリクエストが加盟店のアクワイアラー（ｉ）１１０に送信される（ステップ１５５において）。各アクワイアラー（ｉ）とは、企業、例えば加盟店のためにクレジットカード取引を処理する金融機関であり、クレジットカード協会などの取引ハンドラの一員としてライセンスを与えられている。従って、アクワイアラーは、自己の加盟店との金融関係を確立し、不正取引及びセキュリティ関連事象を回避及び届け出る手助けをする。
【００１５】
アクワイアラー（ｉ）１１０は、アカウント情報を取引ハンドラＴＨ１０２に送信し（ステップ１６５において）、取引ハンドラは次に、このリクエストをアカウント保有者のイシュイング銀行又はイシュアー１４０に転送する（ステップ１７０において）。イシュアー１４０は、オーソリゼーション情報をＴＨ１０２に返し（ステップ１７０において）、ＴＨは、この情報をアクワイアラー（ｉ）１１０経由で加盟店１２０に返す。加盟店１２０は、ここで、イシュアー１４０のクレジットカードアカウントが有効であり十分な取引残高に対応するかどうかを認識して、取引を完了することができ、次いで、アカウント保有者１３０は、引き換えに商品及び／又はサービスを受け取る（ステップ１５０において）。ほとんどのクレジットカード協会は、オーソリゼーションの受領後に、店舗販売時点情報管理の磁気ストライプスキャナから取得された詳細なクレジットカードアカウント情報を削除しなければならないことを加盟店に指示する。
【００１６】
金融取引を照合して対価の支払いを提供するために、取引についての情報が加盟店１２０によってアクワイアラー（ｉ）１１０に提供され（ステップ１５５において）、次にアクワイアラーは、この取引データをＴＨ１０２に転送し（ステップ１６５において）、Ｔ次いでＴＨは、この取引データを適切なイシュアー１４０に提供する（ステップ１７０において）。次にイシュアーは、決済銀行（図示せず）を通じてその取引の資金をＴＨ１０２に提供する（ステップ１７５において）。次いで資金が加盟店のアクワイアラー１１０に転送され（ステップ１８０において）、アクワイアラーは、その取引の代金を（該当する場合には加盟店割引を差し引いて）加盟店１２０に支払う（ステップ１６０において）。イシュアー１４０は次に、アカウント保有者１３０に請求し（ステップ１８５において）、アカウント保有者１３０は、可能な利息又は手数料を含めてイシュアー１４０に代金を支払う（ステップ１９０において）。
【００１７】
加盟店１２０は、１人又はそれ以上のアカウント保有者１３０と継続中の関係を有する場合がある。この関係は、「登録アカウント保有者情報」データベース１３５内の加盟店のアカウント保有者１３０の各々のデータストレージなど、取引データのデータベース内にアカウント情報を保存することを含むことができる。限定ではなく例証として、顧客は、自己のクレジットカードアカウント番号及び有効期限をデータベース１３５内に登録させることができ、ここで、加盟店１２０は、顧客のアカウントへのヘルスクラブ月次会員変更を自動的に行うヘルスクラブであるか、或いは、加盟店１２０は、顧客から自動車予約リクエストを散発的に受け取る自動車レンタルサービスであり、データベース１３５内に保存された顧客のクレジットカード情報によって予約が取られる。
【００１８】
時間の経過と共に、データベース１３５内の情報の精度は低下することがある。従って、加盟店１２０は、この情報を定期的に更新させる必要があり、その実施例を図１の参照数字１８３−１８７によって示す。これを行うために、加盟店１２０は、バッチ操作１８５を実行して、データベース１３５の全部又は一部分を加盟店のアクワイアラー１１０に送信する。次に、加盟店のアクワイアラー１１０は、データベース１３５に対するバッチ更新１８７をＴＨ１０２に対してリクエストし、該ＴＨは、アカウント保有者１３０のアカウントに対する散発的及び／又は定期的更新１８３をそれぞれのイシュアー１４０から受け取る。ＴＨ１０２は、バッチ操作においてデータベース１３５内の各アカウントを自己のアカウント記録に対して実行して、変わっていれば、何れのアカウントが変わったかを判断することができる。例として、発生した可能性のある変更の種類は、期限切れしたアカウントが新しい有効期限で更新されたものである。或いは、アカウントが閉鎖される場合もある。
【００１９】
上記の実施例として、ＶｉｓａＮｅｔ（商標）クレジットネットワークサービスは、イシュアーからのアカウント情報更新を提供し、顧客の将来の取引について問い合わせる参加加盟店にこれらの更新を提供する製品を含み、該顧客アカウント情報は、例えば、登録カード(card on file)タイプの顧客など、加盟店によってファイル上に保管される。このサービス及び情報の交換はバッチ処理で行われる。
【００２０】
データベース１３５内のアカウントに対する全ての変更が識別された後、バッチ更新データは、バッチ操作１８７でＴＨ１０２によって加盟店のアクワイアラー１１０に送信される。加盟店のアクワイアラー１１０は、バッチ操作１８５でバッチ更新されたアカウントデータをリクエスト元の加盟店１２０に転送する。次に、リクエスト元の加盟店１２０は、加盟店のアクワイアラー１１０から受け取った更新でデータベース１３５に対しバッチ更新１８０を実行することができる。
【００２１】
問題が発生するのは、登録アカウント保有者情報データベース１３５内にアカウント情報が保存されたアカウント保有者１３０に対して、購入取引のためのクレジットを供与するために加盟店１２０が加盟店のアクワイアラー１１０からオーソリゼーションを受けようと試みるが受けられない場合である。このような否認は、同じアカウントに関して加盟店１２０が有するアカウント情報とイシュアー１４０が有するアカウント情報とが一致しない、データベース１３５内の期限切れしたアカウント情報に起因する可能性がある。
【００２２】
上記の図１は、アカウント保有者、加盟店、イシュアー、アクワイアラー、及び取引ハンドラを含む当事者が取引システムに関わる実施１００を示したが、より具体的な性質の他の実施、具体的には商取引、より具体的にはクレジットカード取引もまた企図される。更に、当業者であれば、限定ではないが、ＡＴＭカード、デビットカード、為替、ギフトカード、電信送金為替、トラベラーズチェック、又は上記の組み合わせを含む、他の金融取引及び金融商品もまた使用できる点が認識されるであろう。
【００２３】
１つの実施において、第１の方法を開示する。本方法は、アカウント保有者と加盟店との間で商取引を実行するためのシステムにおいて使用することができる。システムは、イシュアーによってカード保有者に対して発行されたアカウントを調整する金融サービスプロバイダを含み、カード保有者は各々、対応するアカウントに関するクレジットのリクエストを加盟店に対して行う。各加盟店は、クレジットをリクエストするカード保有者のアカウントを金融サービスプロバイダが調整するアクワイアラーを有する。
【００２４】
開示する第１の方法は、更に別の実施において、１つの加盟店が、１つの当該アカウントに対する金融取引のリクエストを含む、加盟店のアクワイアラー宛ての送信メッセージを形成することによって実行することができる。加盟店は、加盟店のアクワイアラーから送信メッセージを受け取る。この送信メッセージは、アカウントに関するクレジットのリクエストに応答して、アカウントに関するクレジットのクエストの拒否を含む場合があり、含まない場合もある。実際のところ、送信メッセージは、取引に関して拒否を受け取る前に受け取っている場合もある。
【００２５】
送信メッセージが、アカウントに関するクレジットリクエストに応答してアカウントに関するクレジットリクエストの拒否を含む場合、受け取った拒否に応答して、加盟店は、アカウントについての情報リクエストを含む、アカウントに対応する金融サービスプロバイダ宛ての送信メッセージを形成する。加盟店は、アカウントについてのリクエストした情報を含む送信メッセージを金融サービスプロバイダから受け取る。アカウントに対する変更の受け取りに応答して、加盟店は、受け取ったアカウントに対する変更が予め定められた基準に反するかを問い、このアカウントに対する金融クレジット取引のリクエストに応答してクレジットを供与するか否かを判断することができる。或いは、加盟店は、受け取ったアカウントに対する変更に関するリクエスト情報を用いて、オーソリゼーションにリクエストを再提出し、これが承認されるか否かを確認することができる。
【００２６】
更に別の例示的な実施において、開示する第１の方法は、金融サービスプロバイダによって実行することができる。このように実行されると、１つの加盟店によって受け取られた否認に応答して、金融サービスプロバイダは、１つの当該アカウントについての情報のリクエストを含む送信メッセージを加盟店から受け取る。加盟店からのアカウントについての情報リクエストに応答して、金融サービスプロバイダは、１つの当該アカウントについてリクエストされた情報を含む、加盟店宛ての送信メッセージを形成する。
【００２７】
別の実施において、第２の方法を開示する。第２の方法は、金融サービスプロバイダが、イシュアーによってカード保有者に対して発行されたアカウントを調整するシステムにおいて実行され、カード保有者は各々、対応するアカウントに関するクレジットのリクエストを加盟店に対して行う。各加盟店は、クレジットをリクエストするカード保有者のアカウントを金融サービスプロバイダが調整するアクワイアラーを有する。
【００２８】
更に別の実施において、加盟店は、金融クレジット取引に関して複数のアカウントのバッチ比較をリクエストする、加盟店のアクワイアラー宛ての送信メッセージを形成して、これらに対するあらゆる変更を判断することによって第２の方法を実行する。バッチ比較のリクエストに応答して、加盟店は、リクエストされたアカウントの各々に対する変更をそれぞれ含む送信メッセージを加盟店のアクワイアラーから受け取る。加盟店は、受け取ったアカウントに対するそれぞれの変更で複数のアカウントをバッチ更新する。加盟店によって、１つの当該アカウントに対する金融クレジット取引のリクエストを含む加盟店のアクワイアラー宛ての送信メッセージが形成される。或いは、加盟店は、単に将来の拒否を回避するためにアカウントに対する更新を行う目的で拒否の前に送信メッセージを送ることができる。例えば、更新は、新しい有効期限、新しいクレジット限度、名義変更、その他とすることができる。
【００２９】
アカウントに関するクレジットリクエストに応答して、加盟店が、１つの当該アカウントに関するクレジットリクエストの否認を含む送信メッセージを加盟店のアクワイアラーから受け取る場合、加盟店は、拒否に対して応答することができる。受け取った拒否に応答して、加盟店は、１つの当該アカウントに対する最後のバッチ更新以降の当該アカウントに対する変更内容のリクエストを含む、金融サービスプロバイダ宛ての送信メッセージを形成することができる。加盟店は、１つの当該アカウントに対する最後のバッチ更新以降の当該アカウントに対する変更を含む送信メッセージを金融サービスプロバイダから受け取る。１つの当該アカウントに対する最後のバッチ更新以降の１つの当該アカウントに対する変更の受け取りに応答して、加盟店は、受け取ったアカウントに対する変更を予め定められた基準に照らして問い合わせをし、１つの当該アカウントに対する金融クレジット取引のリクエストに応答してクレジットを供与するか否かを判断することができる。
【００３０】
別の実施を第３の方法で開示する。開示される第３の方法は、カード保有者が保有するアカウントのシステムにおいて実行することができ、イシュアーは、それぞれの当該アカウントをカード保有者に発行し、加盟店は、カード保有者による取引のためにアカウントにクレジットを供与するためのリクエストを受け取り、アクワイアラーは、クレジットに関する取引のオーソリゼーションリクエストを加盟店から受け取り、アクワイアラーは、対応するイシュアーと通信して、それぞれの当該カード保有者のアカウントに関してリクエストされた各当該クレジット取引を承認するか又は否認するかを判断し、ここで金融サービスプロバイダは、イシュアー、加盟店、及び加盟店のアクワイアラーと共に各当該カード保有者の各当該アカウントを調整し、更に金融サービスプロバイダは、イシュアーがそれぞれの当該アカウントを発行したそれぞれのカード保有者について更新されたアカウント情報をイシュアーから受け取る。
【００３１】
開示される第３の方法は、１人の当該カード保有者の１つの当該アカウントに関して更新されたアカウント情報を１つの当該イシュアーから受け取った金融サービスプロバイダによって実行することができる。金融サービスプロバイダはまた、１つの当該加盟店にカード保有者のアカウントにおけるクレジットをリクエストする１人の当該カード保有者についてのアカウント情報のリクエストを含む送信メッセージを１つの当該加盟店から受け取る。金融サービスプロバイダは、１つの当該イシュアーから受け取ったリクエストされた更新済みのアカウント情報を含む、１つの当該加盟店宛ての送信メッセージを送信する。
【００３２】
開示する第３の方法は、単一のアカウントに関して単一の取引のための更新された情報のリクエストを含む、金融サービスプロバイダ宛ての送信メッセージを形成する１つの当該加盟店によって実行することができる。１つの当該加盟店は、１つの当該アカウントに関してリクエストしたアカウント情報を含む送信メッセージを金融サービスプロバイダから受け取る。
【００３３】
開示される第１、第２、及び第３の方法の各加盟店及び金融サービスプロバイダに関して、更に別の実施は、上述の各操作段階及び機能に対する装置、ハードウェア、ソフトウェア、制御ロジック、及び他の手段を提供する。
【００３４】
図２〜７は、特定の種類の商取引、すなわち、クレジットカード取引の種々の図を示している。この商取引システムでは、カード保有者としてのアカウント保有者、加盟店、イシュアー、アクワイアラー、及び金融サービスプロバイダとしての取引ハンドラといった当事者を含む、クレジットカード取引について図２〜７に関連して説明する。しかしながら、より具体的な内容の他の実施もまた本発明に適用可能である点は企図される。更に、当業者であれば、限定ではないが、ＡＴＭカード、デビットカード、為替、ギフトカード、電信送金為替、トラベラーズチェック、又は上記の組み合わせを含む、他の金融取引及び手段もまた適用可能とすることができる点は認識されるであろう。図示の添字（ｉ）、（ｊ）、及び（ｐ）は、複数の可能性がある当該エンティティを示し、各添字はゼロ（０）から無限の範囲とすることができる。
【００３５】
図２は、本発明の教示による、クレジットカード取引を承認する金融サービスを提供するための１つの実施である処理２００を示している。図３は、図２に示す処理２００の操作段階を実施することができるシステム３００である。
【００３６】
処理２００は、段階２１０から始まり、ここで加盟店は、該加盟店によって保存される加盟店のアカウント保有者又は顧客のクレジットアカウントについての情報を定期的にリフレッシュすることができる。このリフレッシュは、加盟店のアクワイアラーを通じて加盟店によってリクエストすることができ、アクワイアラーは次に、更新された情報を金融サービスプロバイダから取得し、この更新された情報をリクエスト元の加盟店に転送する。受け取り後、加盟店は次に、加盟店のアカウント保有者のアカウントについて保存している情報を更新することができる。
【００３７】
処理２００は、段階２１０から段階２２０に進み、ここで加盟店は、現在又は将来の金融取引に関してアカウント保有者のアカウントに対するクレジットの供与の可能性を調査し、ここで、アカウント保有者のアカウント情報は、加盟店によって保持されている。加盟店は、加盟店が調査中のアカウント保有者のアカウントにクレジットを供与するオーソリゼーションの否認を受け取る。オーソリゼーションの否認は、加盟店のアクワイアラーから受け取った。
【００３８】
処理２００は、段階２２０から段階２３０に進み、ここで、加盟店は、金融サービスプロバイダによって保持されたアカウント保有者のアカウントの情報にリアルタイムでアクセスする。金融サービスプロバイダからリアルタイムで取得した情報は、アカウント保有者のアカウントにおけるクレジットの供与を承認する決定を加盟店が行うことができるのに十分である。加盟店には、クレジット供与のオーソリゼーションの当該否認時に自動的にこのようなリアルタイムアクセスを提供することができ、その結果、加盟店のコンピューティングシステムは、金融サービスプロバイダのコンピューティングシステムに自動的で安全なプライバシー順守のリアルタイムアクセスを行い、例えば、加盟店のサーバには、取引ハンドラのサーバへのリアルタイムアクセスが提供される。このリアルタイムアクセスは、アカウント保有者のアカウントについての最近の情報を加盟店に提供し、ここで当該最近情報は、アカウント保有者のアカウントに対する最近の変更に関してイシュアーから取引ハンドラ又は金融サービスプロバイダ又は金融サービスプロバイダによってしか最近取得されなかったような、アクワイアラーからは入手可能ではなかった場合がある。
【００３９】
或いは、加盟店には、オーソリゼーションの当該否認時にこのようなリアルタイムアクセスを双方向ユーザインタフェースを通じて提供することができる。加盟店は、ワールドワイドウェブ（Ｗｏｒｌｄ  Ｗｉｄｅ  Ｗｅｂ）のブラウザベースの入出力画面を通じてなど、ユーザインタフェースを操作して、金融サービスプロバイダのコンピューティングシステムに対して認証され、アクセス制御され、安全で且つプライバシー順守のリアルタイムアクセスを行い、例えば、加盟店のクライアントには、取引ハンドラのサーバへのリアルタイムアクセスが提供される。金融サービスプロバイダからワールドワイドウェブ上でリアルタイムに取得した情報は、好ましくは、アカウント保有者のアカウントにおけるクレジット供与を承認する決定を加盟店が行うことができるのに十分である。加盟店には、クレジット供与のオーソリゼーションの当該否認時に自動的にこのようなリアルタイムアクセスを提供することができる。このリアルタイムアクセスは、アカウント保有者のアカウントについての最近の情報を加盟店に提供し、該最近の情報は、アカウント保有者のアカウントに対する最近の変更に関してイシュアーから取引ハンドラ又は金融サービスプロバイダによってしか最近取得されなかったなど、アクワイアラーからは入手可能でなかった場合がある。
【００４０】
段階２３０の実施例として、加盟店は、通常はアカウント保有者との直接通信を介してアカウント情報を最新に保つオンライン書籍販売業者とすることができる。しかしながら、特定の状況においては、オンライン書籍販売業者の価値の高いアカウント保有者が、アカウント保有者のアカウントについての新規情報を書籍販売業者によって保存された記録に更新させていなかった場合がある。例えば、書籍販売業者は、そのアカウント保有者から急送出荷による大口注文を受け取る場合がある。書籍販売業者は、加盟店のアクワイアラーから否認を受け取ったアカウント保有者のアカウントにクレジットを供与するオーソリゼーション処理を開始する。これに応答して、オンライン書籍販売業者は、アカウント保有者のアカウントについての金融サービスプロバイダの情報へのリアルタイムアクセスを取得する。この際に、オンライン書籍販売業者は、そのアカウント保有者のローカル記録と、金融サービスプロバイダによって保持されるリアルタイム記録との間にアカウント保有者のアカウント情報の食い違いを見出す。
【００４１】
オーソリゼーションの否認（すなわち、拒否）を引き起こす場合があるアカウント保有者のアカウント情報における食い違いの種類の例は、イシュアーに対する取引の照会、カードの紛失又は盗難の表示、無効なアカウント番号、期限切れのカード、その他を含む。期限切れのカードの場合、本明細書で説明するリアルタイムアカウント更新情報は、期限切れしたカード期日が原因で取引が拒否されるのを回避する上で加盟店にとって特に有用である。
【００４２】
オンライン書籍販売業者は、価値の高いアカウント保有者側のクレジットリスクにオンライン書籍販売業者を曝すことに比べて食い違いがわずかであると判断して、クレジットの供与、並びに価値の高いアカウント保有者の急送出荷リクエストを満たすための追加コストを承認することを決定する。ここで、書籍販売業者の目的は、アカウント保有者に高品質なサービスを提供することであり、金融サービスプロバイダによって提供されるリアルタイムアカウント更新サービスは、価値の高いアカウント保有者のアカウントへのクレジットの供与のオーソリゼーションを可能にするために、加盟店が食い違いの原因を解明するのに必要な情報を取得する上で利用可能な手段であった。
【００４３】
図２を再び参照すると、処理２００は、段階２３０から段階２４０に進み、ここで、加盟店は、金融サービスプロバイダからリアルタイムで取得したデータを用いて、アカウント保有者のアカウントに関して加盟店によって保持される情報を更新する。
【００４４】
図３は、処理２００が動作することができるシステム３００を示している。システム３００は、アカウント保有者（ｐ）３３０に各クレジットアカウントを発行する各イシュアー（ｊ）３４０とクレジットアカウントを調整する取引ハンドラ３０２を含む。各加盟店（ｎ）３２０は、アカウント保有者（ｐ）３３０のアカウントを用いたクレジット取引において商品及びサービスの購入及び販売のために、アカウント保有者（ｐ）３３０のクレジットカードを受け付けることができる。各加盟店（ｎ）３２０はまた、カード保有者３３０のクレジットカードについてのアカウント情報を登録カードストレージ３２５内に保存することができる。アカウント保有者（ｐ）３３０のアカウントを用いたクレジット取引での商品及びサービスの購入及び販売において、加盟店（ｎ）３２０は、関連する通信を、アカウント保有者（ｐ）３３０のアカウントのイシュアー（ｊ）３４０と行う加盟店のアクワイアラー（ｉ）３１０と共にアカウントの承認を開始する。クレジット取引が承認されると、加盟店（ｎ）３２０は、アカウント保有者（ｐ）３４０との商品及びサービスの購入及び販売を完了する。
【００４５】
各加盟店（ｎ）３２０は、登録カード３２５内に保持されたアカウントに加えられた変更を判断するバッチ処理の実行をリクエストすることができる。ワークフロー４〜７は、加盟店（ｎ）３２０によって開始されるバッチ処理を表しており、登録カード３２５に対する変更を判断するために加盟店のアクワイアラー（ｉ）３１０にリクエストを行う。加盟店のアクワイアラー（ｉ）３１０は、ワークフロー５において、リクエストを取引ハンドラ３０２に転送する。しかしながら、ワークフロー４〜７の機能は、システム３００の様々な構成要素を構築する又は他の方法で組み込むエンティティに任された任意選択の機能であるので、登録カード３２５が、必ずしもこれらを有効にして同機能を提供する必要はない点に留意されたい。
【００４６】
システム３００は、各イシュアー（ｊ）３４０がアカウント保有者（ｐ）３３０にそれぞれのアカウントを発行し、アカウント保有者（ｐ）３３０によって保有される少なくとも複数のアカウントを含む。加盟店（ｎ）３２０は各々、アカウント保有者（ｐ）３３０による取引のためにアカウントにおいてクレジットを供与するリクエストを受け取る。各アクワイアラー（ｉ）３１０は、クレジット取引のオーソリゼーションリクエストを加盟店（ｎ）３２０から受け取る。このリクエストは、アクワイアラー（ｉ）３１０が対応するイシュアー（ｉ）３４０と通信した後に許可又は否認することができる。取引ハンドラ３０２は、イシュアー３４０及びアクワイアラー３１０と各アカウント保有者（ｐ）３２０の各アカウントを調整する。取引ハンドラ３０２は、アカウント保有者（ｐ）３３０に関する更新されたアカウント情報をそれぞれの各イシュアー（ｊ）３４０から定期的に受け取った。
【００４７】
システム３００は、ワークフロー１から１５までを示している。ワークフロー１は、イシュアー（ｊ）３４０によるアカウント保有者（ｐ）３３０へのクレジットアカウントの発行を表す。ワークフロー２は、発行されたアカウントについての情報の取引ハンドラ３０２への伝達を表す。ワークフロー３において、アカウント保有者（ｐ）３３０は、商品及びサービスの購入及び販売のクレジット取引リクエストに伴う登録カード３２５内の保存用の情報を加盟店（ｎ）３２０に提供する。ワークフロー４〜７は、アカウント保有者（ｐ）３３０によってリクエストされたクレジット取引に関して加盟店（ｎ）３２０が開始するオーソリゼーション・サイクルを表す。
【００４８】
オーソリゼーションが求められているリクエストされたクレジット取引は、現在の取引に関する場合又は将来の取引に関する場合がある。例として、将来の取引は、自動車レンタル会社、船旅会社加盟店、又は宿泊所加盟店などが予定している１つ又はそれ以上の旅行予約することができる。
【００４９】
アカウントにおけるクレジットを承認するためのリクエストは、登録カード３２５内に保存されるようなアカウント保有者（ｐ）３３０についての情報を、ワークフロー４〜７においてアクワイアラー（ｉ）３０１、取引ハンドラ３０２、及び対応するイシュアー（ｊ）３４０に伝達する処理を通じて許可又は否認することができる。
【００５０】
ワークフロー８は、アカウント保有者（ｐ）３３０のアカウントで何らかの変更があったことのイシュアー（ｊ）３４０から取引ハンドラ３０２への伝達を表す。この変更は、登録カード３２５内への保存用に加盟店（ｎ）３２０には伝達されない。続いて、アカウント保有者（ｐ）３３０は、ワークフロー９で示すように、加盟店（ｎ）３２０とのクレジット取引をリクエストする。リクエストの後、アカウントにおけるクレジットのオーソリゼーションのワークフロー１０及び１１が続く。加盟店（ｎ）３２０によって登録カード３２５内に保存され且つこれから伝達されるアカウント保有者（ｐ）３３０についての情報とのワークフロー８で変更された情報の食い違いに起因して、クレジットを供与するためのオーソリゼーションリクエストは、ワークフロー１１で否認される。
【００５１】
これに応答して、ワークフロー１２は、アカウント情報の食い違いの原因を突き止めるために、加盟店（ｎ）３２０が取引ハンドラ３０２へのリアルタイムアクセスを要求することを示している。ワークフロー１３は、ワークフロー８でイシュアー（ｊ）３４０によって取引ハンドラ３０２に与えられた必要な情報を加盟店（ｎ）３２０に伝達することを表す。
【００５２】
食い違いが確認されると、加盟店（ｎ）３２０は、ワークフロー１４においてアカウント保有者（ｐ）３３０との金融取引を完了し、ワークフロー１３．５及び１５で示すように、同情報を対応するイシュアー（ｐ）３３０並びに加盟店（ｎ）３２０のアクワイアラー（ｉ）３１０と通信する。
【００５３】
アカウント保有者のアカウント情報へのリアルタイムアクセスを加盟店に提供することによって解決可能な食い違いの例は、アカウント番号が変更されており、加盟店が古いアカウント番号で拒否された場合である。加盟店は、オンライン接続して、変更された情報をリアルタイムで取得することができる。加盟店は、インターネットウェブサイトシステムに進み、古いアカウント番号を入れて、新しいアカウント番号を代わりに受け取ることができる。その後、新しいアカウント番号を使用することができる。或いは、加盟店が拒否を受け取る前に、拒否の受け取りを回避するために慎重を期して、加盟店は、リアルタイムでオンライン接続して、そのアカウントについての何れかの情報が変更情報を含むか否かを調べることができる。この場合も同様に、加盟店は、このような変更された情報に関してインターネットウェブサイトシステムに進み、古いアカウント番号を入れて、新しい変更されたアカウント番号についての情報を代わりに受け取る。その後、新しいアカウント番号を使用することができるので、拒否を受け取ることはない。これらの同じ例はまた、新しい有効期限がアカウントに与えられ、加盟店が拒否後、或いはオーソリゼーションを求める前に拒否の受け取りを回避するために新しい有効期限情報を必要とする状況にも当てはまる。
【００５４】
従って、加盟店（ｎ）３２０によって得られたリアルタイム情報により、アカウント保有者（ｐ）３３０のアカウントへのクレジットの供与が可能になり、アカウント保有者のサービスを改良し、他の場合には失っていたはずの加盟店（ｎ）３２０の売上げを伸ばす結果となる。
【００５５】
図４は、本発明の教示による、クレジットカード取引を承認する金融サービスを提供するための処理４００を示している。図５は、図４に示す処理４００の操作段階が実施可能なシステム５００である。
【００５６】
図４を参照すると、処理４００は段階４１０から始まり、ここで、加盟店は、現在及び／又は将来のクレジット取引のリクエストをアカウント保有者から受け取る。このアカウント保有者に関して、加盟店は、アカウント保有者のアカウントについての情報をデータベース内に保存している。データベースはまた、段階４２０によって表されるような許容可能な取引についての他の情報も保持する。段階４２０において、加盟店は、アカウント保有者によってリクエストされたクレジット取引が予め定められた閾値を超えると判断する。
【００５７】
可能であればこのアカウント保有者への販売を失うのを避けるために、可能であれば、加盟店は、アカウント保有者のアカウントについて登録アカウント内に保存されているものよりも多く、及び加盟店のアクワイアラーから取得できるものよりも多くを得ようと試みる。加盟店のアクワイアラーと通信できるよりもむしろ、処理４００は、段階４２０から段階４３０に進み、ここで加盟店は、金融サービスプロバイダによって保持されたアカウント保有者のアカウントの情報にリアルタイムでアクセスする。金融サービスプロバイダからリアルタイムで取得した情報は、アカウント保有者のアカウントにおけるクレジットの供与を承認する決定を加盟店が行うことができるのに十分である。加盟店が承認拒否を受け取った後にクレジットの供与を決定できるようにするリアルタイム情報の種類の例は、上述と同じである。加盟店には、クレジット供与のオーソリゼーションの当該否認時に自動的にこのようなリアルタイムアクセスを提供することができ、その結果、加盟店のコンピューティングシステムは、金融サービスプロバイダのコンピューティングシステムに自動的で安全なプライバシー順守のリアルタイムアクセスを行い、例えば、加盟店のサーバには、取引ハンドラのサーバへのリアルタイムアクセスが提供される。このリアルタイムアクセスは、アカウント保有者のアカウントについての最近の情報を加盟店に提供し、当該最近の情報は、アカウント保有者のアカウントに対する最近の変更に関してはイシュアーから取引ハンドラ又は金融サービスプロバイダによってしか最近取得されなかったような、アクワイアラーからは入手可能でなかった場合がある。
【００５８】
或いは、加盟店には、オーソリゼーションの当該否認時にこのようなリアルタイムアクセスを双方向ユーザインタフェースを通じて提供することができる。加盟店は、ワールドワイドウェブのブラウザベースの入出力画面を通じてなど、ユーザインタフェースを操作して、金融サービスプロバイダのコンピューティングシステムに対して認証され、アクセス制御され、安全で且つプライバシー順守のリアルタイムアクセスを行い、例えば、加盟店のクライアントには、取引ハンドラのサーバへのリアルタイムアクセスが提供される。金融サービスプロバイダからワールドワイドウェブ上でリアルタイムに取得した情報は、好ましくは、アカウント保有者のアカウントにおけるクレジットの供与を承認する決定を加盟店が行うことができるのに十分である。加盟店には、クレジット供与のオーソリゼーションの当該否認時に自動的にこのようなリアルタイムアクセスを提供することができる。このリアルタイムアクセスは、アカウント保有者のアカウントについての最近の情報を加盟店に提供し、該最近の情報は、アカウント保有者のアカウントに対する最近の変更に関してイシュアーから取引ハンドラ又は金融サービスプロバイダによってしか最近取得されなかったなど、アクワイアラーからは入手可能でなかった場合がある。
【００５９】
図４を再び参照すると、処理４００は、段階４３０から段階４４０に進み、ここで、加盟店は、金融サービスプロバイダからリアルタイムで取得したデータを用いて、アカウント保有者のアカウントに関して加盟店が登録カード内に保持した情報を更新する。段階４４０の後、加盟店は、金融サービスプロバイダへのリアルタイムアクセスを介して取得した新規の情報に基づいて、段階４５０においてアカウント保有者への取引に関してクレジットを供与する。
【００６０】
図５は、処理４００を実施可能なシステム５００を示している。システム５００は、アカウント保有者（ｐ）５３０に各クレジットアカウントを発行する各イシュアー（ｊ）５４０とクレジットアカウントを調整する取引ハンドラ５０２を含む。各加盟店（ｎ）５２０は、アカウント保有者（ｐ）５３０のアカウントを用いたクレジット取引において商品及びサービスの購入及び販売のためにアカウント保有者（ｐ）５３０のクレジットカードを受け付けることができる。各加盟店（ｎ）５２０はまた、カード保有者５３０のクレジットカードについてのアカウント情報を登録カードストレージ５２５内に保存することができる。アカウント保有者（ｐ）５３０のアカウントを用いたクレジット取引での商品及びサービスの購入及び販売において、加盟店（ｎ）５２０は、関連する通信を、アカウント保有者（ｐ）５３０のアカウントのイシュアー（ｊ）５４０と行う加盟店のアクワイアラー（ｉ）５１０と取引の承認を開始する。クレジット取引が承認されると、加盟店（ｎ）５２０は、アカウント保有者（ｐ）５４０との商品及びサービスの購入及び販売を完了する。
【００６１】
システム５００は、各イシュアー（ｊ）５４０がアカウント保有者（ｐ）５３０にそれぞれのアカウントを発行し、アカウント保有者（ｐ）５３０によって保有される複数のアカウントを表している。加盟店（ｎ）５２０は、アカウント保有者（ｐ）５３０による取引のためにアカウントにおいてクレジットを供与するリクエストを受け取る。各アクワイアラー（ｉ）５１０は、クレジット取引のオーソリゼーションリクエストを加盟店（ｎ）５２０から受け取る。このリクエストは、アクワイアラー（ｉ）５１０が対応するイシュアー（ｉ）５４０と通信した後に許可又は否認することができる。取引ハンドラ５０２は、イシュアー５４０及びアクワイアラー５１０と各アカウント保有者（ｐ）５２０の各アカウントを調整する。取引ハンドラ５０２は、アカウント保有者（ｐ）５３０に関する更新されたアカウント情報をそれぞれの各イシュアー（ｊ）５４０から定期的に受け取る。
【００６２】
システム５００は、ワークフロー１から９までを示している。ワークフロー１は、イシュアー（ｊ）５４０によるアカウント保有者（ｐ）５３０へのクレジットアカウントの発行を表す。ワークフロー２は、発行されたアカウントについての情報の取引ハンドラ５０２への伝達を表す。加盟店（ｎ）５２０によるアカウント保有者（ｐ）５３０に対する更新された情報のリクエストに応答して、ワークフロー３において、アカウント保有者（ｐ）５３０は、商品及びサービスの購入及び販売のクレジット取引リクエストに伴う登録カード５２５内の保存用の情報を加盟店（ｎ）５２０に提供する。
【００６３】
ワークフロー４は、アカウント保有者（ｐ）５３０のアカウントで何らかの変更があったことのイシュアー（ｊ）５４０から取引ハンドラ５０２への伝達を表す。しかしながら、この変更は、登録カード５２５内への保存用に加盟店（ｎ）５２０には伝達されない点に留意されたい。続いて、アカウント保有者（ｐ）５３０は、ワークフロー５で示すように、加盟店（ｎ）５２０とのクレジット取引をリクエストする。加盟店（ｎ）５２０は、アカウント保有者（ｐ）５３０からのクレジットのリクエストを、予め定められた現在／将来の取引の閾値基準５２３を通じて精査にかける。ここで基準は、１つ又はそれ以上の閾値を超えたことを示しており、従って、加盟店（ｎ）５２０は、ワークフロー６を開始する必要がある。
【００６４】
ワークフロー６は、アカウント保有者（ｐ）３３０のアカウントについての情報を得て、これにより正当にクレジットを供与すべきであるか否かを判断するために、加盟店（ｎ）５２０が取引ハンドラ５０２へのリアルタイムアクセスを要求することを示している。ワークフロー７は、ワークフロー２又は４でイシュアー（ｊ）５４０によって取引ハンドラ５０２に与えられた必要な情報を加盟店（ｎ）５２０に伝達することを表す。
【００６５】
リアルタイムアクセスを通じて取得した新規情報を確認すると、加盟店（ｎ）５２０は、ワークフロー１０においてアカウント保有者（ｐ）５３０との金融取引を完了し、ワークフロー８及び９で示すように、同情報を対応するイシュアー（ｐ）５３０並びに加盟店（ｎ）５２０のアクワイアラー（ｉ）５１０と通信する。従って、加盟店（ｎ）５２０によって得られたリアルタイム情報により、アカウント保有者（ｐ）５３０のアカウントへのクレジット供与が可能になり、アカウント保有者のサービスを改良し、他の場合には失っていたはずの加盟店（ｎ）５２０の売上げを伸ばす結果となる。
【００６６】
各加盟店（ｎ）５２０は、登録カード５２５内に保持されたアカウントに加えられた変更を判断するバッチ処理の実行をリクエストすることができる。別の実施において、ワークフロー５．５、５．６、及び５．７は、ワークフロー５．５において加盟店（ｎ）５２０によって開始されるバッチ処理を表しており、登録カード５２５に対する変更を判断するために加盟店のアクワイアラー（ｉ）５１０にリクエストを行う。加盟店のアクワイアラー（ｉ）５１０は、ワークフロー５．６において、リクエストを取引ハンドラ５０２に一方向で転送する。イシュアー５３０から受け取ったアカウントに対する変更を用いて、登録カード５２５内のアカウントが、取引ハンドラ５０２によって保持され且つワークフロー５．６及び５．７で加盟店のアクワイアラー（ｉ）５１０を通じて加盟店（ｎ）５２０に返されたアカウントについての情報に対して照合される。しかしながら、ワークフロー５．６及び５．７は、システム５００の様々な構成要素を構築する又は他の方法で組み込むエンティティに任された任意選択の機能であるので、登録カードデータベース５２５を更新するためのバッチ処理を必ずしも有効にしなくてもよい点に留意されたい。
【００６７】
図６は、本発明の教示による、クレジットカード取引を承認する金融サービスを提供するための処理６００を示している。図７は、図６に示す処理６００の操作段階が実施可能なシステム７００である。
【００６８】
処理６００は、段階６２０から始まり、ここで、加盟店は、現在又は将来の金融取引に関してアカウント保有者のアカウントへのクレジット供与の可能性を調査し、、アカウント保有者のアカウント情報は、加盟店によって保持される。加盟店は、該加盟店が調査中のアカウント保有者のアカウントにクレジットを供与するオーソリゼーションの否認を受け取る。オーソリゼーションの否認又は拒否は、間接的としても（オーソリゼーション又は拒否がイシュアーから届く場合がある）、加盟店のアクワイアラーから受け取った。
【００６９】
処理６００は、段階６２０から段階６３０に進み、ここで加盟店は、金融サービスプロバイダによって保持されたアカウント保有者のアカウントの情報にリアルタイムでアクセスする。金融サービスプロバイダからリアルタイムで取得した情報は、アカウント保有者のアカウントにおけるクレジットの供与を承認する決定を加盟店が行うことができるのに十分である。加盟店には、クレジット供与のオーソリゼーションの当該否認時に自動的にこのようなリアルタイムアクセスを提供することができ、その結果、加盟店のコンピューティングシステムは、金融サービスプロバイダのコンピューティングシステムに自動的で安全なプライバシー順守のリアルタイムアクセスを行い、例えば、加盟店のサーバには、取引ハンドラのサーバへのリアルタイムアクセスが提供される。このリアルタイムアクセスは、アカウント保有者のアカウントに対する最近の情報を加盟店に提供し、当該最近の情報は、アカウント保有者のアカウントに対する最近の変更に関してはイシュアーから取引ハンドラ又は金融サービスプロバイダによってしか最近取得されなかったような、アクワイアラーからは入手可能でなかった場合がある。
【００７０】
或いは、加盟店には、オーソリゼーションの当該否認時にこのようなリアルタイムアクセスを双方向ユーザインタフェースを通じて提供することができる。加盟店は、ワールドワイドウェブのブラウザベースの入出力画面を通じてなど、ユーザインタフェースを操作して、金融サービスプロバイダのコンピューティングシステムに対して認証され、アクセス制御され、安全で且つプライバシー順守のリアルタイムアクセスを行い、例えば、加盟店のクライアントには、取引ハンドラのサーバへのリアルタイムアクセスが提供される。金融サービスプロバイダからワールドワイドウェブ上でリアルタイムに取得した情報は、好ましくは、アカウント保有者のアカウントにおけるクレジットの供与を承認する決定を加盟店が行うことができるのに十分である。加盟店には、クレジット供与のオーソリゼーションの当該否認時に自動的にこのようなリアルタイムアクセスを提供することができる。このリアルタイムアクセスは、アカウント保有者のアカウントについての最近の情報を加盟店に提供し、該最近の情報は、アカウント保有者のアカウントに対する最近の変更に関してイシュアーから取引ハンドラ又は金融サービスプロバイダによってしか最近取得されなかったなど、アクワイアラーからは入手可能でなかった場合がある。
【００７１】
処理６００は、段階６４０から段階６５０に進み、ここで、加盟店は、金融サービスプロバイダからリアルタイムで取得したデータを用いて、アカウント保有者のアカウントに関して加盟店が保持した情報を更新する。段階６４０及び６５０は、逆の実行順序も可能な点に留意されたい。
【００７２】
図７は、処理６００が実施可能なシステム７００を示している。システム７００は、アカウント保有者（ｐ）７３０に各クレジットアカウントを発行する各イシュアー（ｊ）７４０とクレジットアカウントを調整する取引ハンドラ７０２を含む。各加盟店（ｎ）７２０は、アカウント保有者（ｐ）７３０のアカウントを用いたクレジット取引において商品及びサービスの購入及び販売のためにアカウント保有者（ｐ）７３０のクレジットカードを受け付けることができる。各加盟店（ｎ）７２０はまた、カード保有者７３０のクレジットカードについてのアカウント情報を登録カードストレージ７２５内に保存することができる。アカウント保有者（ｐ）７３０のアカウントを用いたクレジット取引での商品及びサービスの購入及び販売において、加盟店（ｎ）７２０は、関連する通信を、アカウント保有者（ｐ）７３０のアカウントのイシュアー（ｊ）７４０と行う加盟店のアクワイアラー（ｉ）７１０と取引の承認を開始する。クレジット取引が承認されると、加盟店（ｎ）７２０は、アカウント保有者（ｐ）７４０との商品及びサービスの購入及び販売を完了する。
【００７３】
各加盟店（ｎ）７２０は、登録カード７２５内に保持されたアカウントに加えられた変更を判断するバッチ処理の実行を任意選択的にリクエストすることができる。この任意のバッチ処理は、好ましくは、加盟店（ｎ）７２０によって開始され、登録カード７２５に対する変更を判断するために加盟店のアクワイアラー（ｉ）７１０にリクエストを行う。加盟店のアクワイアラー（ｉ）７１０は、このリクエストを取引ハンドラ７０２に転送する。イシュアー７３０から受け取ったアカウントに対する変更を用いて、登録カード７２５内のアカウントが、取引ハンドラ７０２によって保持され且つ加盟店のアクワイアラー（ｉ）７１０を通じて加盟店（ｎ）７２０に返されたアカウントについての情報に対して照合される。任意選択的にリクエストされる登録カード７２５のバッチ更新処理は、システム７００の様々な構成要素を構築する又は他の方法で組み込むエンティティに任された任意選択の機能を有する実施である。
【００７４】
システム７００は、各イシュアー（ｊ）７４０がアカウント保有者（ｐ）７３０にそれぞれのアカウントを発行し、アカウント保有者（ｐ）７３０によって保有される複数のアカウントを表している。加盟店（ｎ）７２０は、アカウント保有者（ｐ）７３０による取引のためにアカウントにおいてクレジットを供与するリクエストを受け取る。各アクワイアラー（ｉ）７１０は、クレジット取引のオーソリゼーションリクエストを加盟店（ｎ）７２０から受け取る。このリクエストは、アクワイアラー（ｉ）７１０が対応するイシュアー（ｉ）７４０と通信した後に許可又は否認することができる。取引ハンドラ７０２は、イシュアー７４０及びアクワイアラー７１０と各アカウント保有者（ｐ）７２０の各アカウントを調整する。取引ハンドラ７０２は、自己のアカウント保有者（ｐ）７３０に関する更新されたアカウント情報をそれぞれの各イシュアー（ｊ）７４０から定期的に受け取った。
【００７５】
システム７００は、ワークフロー１から１４までを示している。ワークフロー１は、イシュアー（ｊ）７４０によるアカウント保有者（ｐ）７３０へのクレジットアカウントの発行を表す。ワークフロー２は、発行されたアカウントについての情報の取引ハンドラ７０２への伝達を表す。ワークフロー３において、アカウント保有者（ｐ）７３０は、商品及びサービスの購入及び販売のクレジット取引リクエストに伴う登録カード７２５内の保存用の情報を加盟店（ｎ）７２０に提供する。
【００７６】
ワークフロー４及び６は、アカウント保有者（ｐ）７３０のアカウントで何らかの変更があったことのイシュアー（ｊ）７４０から取引ハンドラ７０２への別個の伝達を表す。これらの変更の何れも、登録カード５２５内への保存用に加盟店（ｎ）７２０には伝達されない。続いて、アカウント保有者（ｐ）７３０は、ワークフロー７で示すように、加盟店（ｎ）７２０とのクレジット取引をリクエストする。リクエストの後に、アカウント保有者（ｐ）７３０のアカウントにおいてクレジットを供与するオーソリゼーションのワークフロー８及び９が続く。加盟店（ｎ）７２０によって登録カード７２５内に保存され且つこれから伝達されるアカウント保有者（ｐ）７３０についての情報とのワークフロー４及び６で変更された情報の食い違いに起因して、クレジットを供与するオーソリゼーションリクエストは、ワークフロー９で否認される。
【００７７】
これに応答して、ワークフロー１０は、アカウント情報の食い違いの原因を突き止めるために、加盟店（ｎ）７２０が取引ハンドラ７０２へのリアルタイムアクセスを要求することを示している。ワークフロー１１は、ワークフロー４及び６でイシュアー（ｊ）７４０によって取引ハンドラ７０２に与えられた必要な情報を加盟店（ｎ）７２０に伝達することを表す。
【００７８】
食い違いが確認されると、加盟店（ｎ）７２０は、ワークフロー１２においてアカウント保有者（ｐ）７３０との金融取引を完了することは、財政上賢明であると判断することができ、ワークフロー１３−１４で示すように、同情報を対応するイシュアー（ｐ）７３０と及び加盟店（ｎ）７２０のアクワイアラー（ｉ）７１０と通信する。従って、ワークフロー１１において加盟店（ｎ）７２０が得たリアルタイム情報により、アカウント保有者（ｐ）７３０のアカウントへのクレジットの供与が可能になり、アカウント保有者のサービスを改良し、他の場合には失っていたはずの加盟店（ｎ）７２０の売上げを伸ばす結果となる。
【００７９】
本発明は、制御ロジックの形式で、モジュール又は統合方式で、或いは、ソフトウェア、ハードウェア、又は両方の組み合わせを用いて実施することができる点は理解されたい。本明細書で提供した開示及び教示に基づいて、当業者であれば、本発明を実施するための他の手段及び／又は方法が理解されるであろう。
【００８０】
本明細書に示した実施例及び実施形態は、例証に過ぎず、これらに照らして様々な修正又は変更形態が当業者には想起され、本出願の技術的思想及び範囲並びに添付の請求項の範囲内に含まれるものとされる点は理解されたい。
【図１】
2010528391.tif 000003
【図２】
2010528391.tif 000004
【図３】
2010528391.tif 000005
【図４】
2010528391.tif 000006
【図５】
2010528391.tif 000007
【図６】
2010528391.tif 000008
【図７】
2010528391.tif 000009
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
取引ハンドラのプロセッサにおいて、対応するイシュアーによって各々発行される複数のアカウントの各々についての情報を電子的に受け取る段階と、
加盟店と将来行われる取引に関して、前記加盟店に配信して該加盟店によって保存するための前記複数のアカウントの各々についての前記情報を前記取引ハンドラのプロセッサから電子的に送信する段階と、
１つの前記取引をリアルタイムで処理する段階と、
を含む方法であって、
前記リアルタイムで処理する段階は、
１つの前記アカウントにおいて前記加盟店と行われる１つの前記取引に関して、前記加盟店によって保存されていた１つの前記アカウントについての前記情報の一部分を含む第１オーソリゼーションリクエストを前記加盟店によってアクワイアラーのコンピュータに送出して、前記アクワイアラーのコンピュータから前記取引ハンドラのプロセッサにおいて電子的に受け取る段階と、
前記第１オーソリゼーションリクエストを前記取引ハンドラのプロセッサから対応する前記イシュアーに電子的に送信する段階と、
前記取引ハンドラのプロセッサにおいて、電子的に送信された前記第１オーソリゼーションリクエストに応答した否認を電子的に受け取る段階と、
前記加盟店に配信するために、前記否認を前記取引ハンドラのプロセッサから前記アクワイアラーのコンピュータに電子的に送信する段階と、
前記取引ハンドラのプロセッサにおいて、１つの前記アカウントについて更新された情報のアカウント情報更新リクエストを前記加盟店から電子的に受け取る段階と、
前記加盟店に配信するために、１つの前記アカウントについて更新された情報を前記取引ハンドラのプロセッサから電子的に送信する段階と、
１つの前記アカウントにおいて行われる１つの前記取引に関して、１つの前記アカウントについて更新された情報の一部分を含む第２オーソリゼーションリクエストを前記加盟店によって前記アクワイアラーのコンピュータに送出して、前記アクワイアラーのコンピュータから前記取引ハンドラのプロセッサにおいて電子的に受け取る段階と、
前記第２オーソリゼーションリクエストを前記取引ハンドラのプロセッサから対応する前記イシュアーに電子的に送信する段階と、
前記取引ハンドラのプロセッサにおいて、前記第２オーソリゼーションリクエストに応答したオーソリゼーション承認を電子的に受け取る段階と、
前記加盟店に配信するために、前記オーソリゼーション承認を前記取引ハンドラのプロセッサから前記アクワイアラーのコンピュータに電子的に送信する段階と、
を含む方法。
【請求項２】
前記加盟店に配信するための１つの前記アカウントについて更新された情報は、１つの前記加盟店が、予め定められた基準に反するかを問い、１つの前記取引を承認するか否かを判断するのに十分である、
請求項１に記載の方法。
【請求項３】
前記取引ハンドラのプロセッサによって実行されたときに、請求項１に記載の前記方法を実行する命令を含むコンピュータ読み出し可能媒体。
【請求項４】
１つの前記アカウントに関して、前記第１及び第２オーソリゼーションリクエスト内のデータ間の相違は、
アドレス情報の変更と、
有効期限情報の変更と、
１つの前記アカウントの保有者の名義情報の変更と、
１つの前記アカウントのアカウント番号情報の変更と、
クレジット限度情報の変更と、
からなるグループから選択される、
請求項１に記載の方法。
【請求項５】
１つの前記アカウントは、金融取引システムにおいて対応するアカウント保有者によってそれぞれ保有される複数の前記アカウントのうちの１つであり、
複数の前記イシュアーが、それぞれの前記アカウントを前記対応するアカウント保有者に発行し、
複数の前記加盟店が、前記対応するアカウント保有者による他の対応する前記取引に関してそれぞれの前記アカウントにおけるオーソリゼーションリクエストを受け取り、
複数の前記アクワイアラーのコンピュータが、他の対応する前記取引のためのオーソリゼーションリクエストをそれぞれの前記加盟店から受け取り、
複数の前記アクワイアラーのコンピュータが、前記取引ハンドラのプロセッサを介して前記対応するイシュアーのイシュアーコンピュータと通信して、それぞれの前記アカウント保有者のアカウントにおける前記リクエストされた各オーソリゼーションを承認するか又は否認するかを判断し、
前記方法が更に、
前記取引ハンドラのプロセッサにおいて、対応する前記イシュアー、前記加盟店、及び前記アクワイアラーのコンピュータに関連する各アクワイアラーと、各前記アカウント保有者の各前記アカウントを電子的に調整する段階と、
前記取引ハンドラのプロセッサにおいて、前記対応するイシュアーがそれぞれの前記アカウントを発行した前記それぞれのアカウント保有者について前記更新されたアカウント情報を対応する前記イシュアーから電子的に受け取る段階と、
を含む、請求項１に記載の方法。
【請求項６】
１つの前記取引のリアルタイムの前記処理の前に、前記取引ハンドラのプロセッサにおいて前記複数のアカウントの前記更新された情報を電子的に受け取る段階を更に含む
請求項１に記載の方法。
【請求項７】
リアルタイムで取引を実行するための方法であって、
取引ハンドラのプロセッサにおいて、アカウントにおいて加盟店と行われる前記取引のための第１オーソリゼーションリクエストをアクワイアラーのコンピュータからリアルタイムで電子的に受け取る段階を含み、
前記第１オーソリゼーションリクエストが、前記加盟店に配信して前記加盟店によって保存するための複数の前記アカウントの情報の一部分としてバッチ操作で前記取引ハンドラのプロセッサによって以前に送信された前記アカウントのデータを含み、
前記方法が更に、
前記アカウントの対応するイシュアーに配信するために前記第１オーソリゼーションリクエストを前記取引ハンドラのプロセッサからリアルタイムで電子的に送信する段階と、
前記取引ハンドラのプロセッサにおいて、電子的に送信された前記第１オーソリゼーションリクエストに応答した前記イシュアーからの否認をリアルタイムで電子的に受け取る段階と、
前記加盟店に配信するために、前記否認を前記取引ハンドラのプロセッサから前記アクワイアラーのコンピュータにリアルタイムで電子的に送信する段階と、
前記取引ハンドラのプロセッサにおいて、前記アカウントについて更新された情報のアカウント情報更新リクエストを前記加盟店からリアルタイムで電子的に受け取る段階と、
前記加盟店に配信して前記加盟店によって保存するために、前記アカウントについて更新された情報を前記取引ハンドラのプロセッサからリアルタイムで電子的に送信する段階と、
前記アカウントにおいて前記加盟店と行われる前記取引に関して、前記アカウントについて更新された情報の一部分を含む第２オーソリゼーションリクエストを、前記加盟店によって前記アクワイアラーのコンピュータに送出して、前記アクワイアラーのコンピュータから前記取引ハンドラのプロセッサにおいてリアルタイムで電子的に受け取る段階と、
前記アカウントの対応する前記イシュアーに配信するために前記第２オーソリゼーションリクエストを前記取引ハンドラのプロセッサからリアルタイムで電子的に送信する段階と、
前記取引ハンドラのプロセッサにおいて、前記第２オーソリゼーションリクエストに応答したオーソリゼーション承認をリアルタイムで電子的に受け取る段階と、
前記加盟店に配信するために、前記オーソリゼーション承認を前記取引ハンドラのプロセッサから前記アクワイアラーのコンピュータにリアルタイムで電子的に送信する段階と、
を含む方法。
【請求項８】
前記アカウントが、前記対応するイシュアーによって対応するアカウント保有者に発行され、前記第１及び第２オーソリゼーションリクエストの各々が、前記アカウントにおいてクレジットを供与するためのリクエストを含む、
請求項７に記載の方法。
【請求項９】
前記加盟店に配信して前記加盟店によって保存するための前記アカウントについて更新された情報は、１つの前記加盟店が予め定められた基準に反するかを問い、前記アカウント保有者のアカウントにおけるクレジットを前記加盟店に要求する前記アカウント保有者に応答して、前記取引に関して前記クレジットを供与するか否かを判断するのに十分である、
請求項７に記載の方法。
【請求項１０】
前記取引ハンドラのプロセッサによって実行されたときに、請求項７の前記取引ハンドラのプロセッサによって実行される電子的送信及び電子的受信命令の各々を実行する命令を含むコンピュータ読み出し可能媒体。
【請求項１１】
１つの前記アカウントに関して、前記第１及び第２オーソリゼーションリクエスト内のデータ間の相違は、
アドレス情報の変更と、
有効期限情報の変更と、
前記アカウントの保有者の名義情報の変更と、
前記アカウントのアカウント番号情報の変更と、
クレジット限度情報の変更と、
からなるグループから選択される、
請求項７に記載の方法。
【請求項１２】
前記アカウントが、支払処理システムにおいて対応するアカウント保有者によってそれぞれ保有される複数の前記アカウントのうちの１つであり、
複数の前記イシュアーが、それぞれの前記アカウントを前記対応するアカウント保有者に発行し、
複数の前記加盟店が、前記対応するアカウント保有者による他の対応する前記取引に関してそれぞれの前記アカウントにおけるオーソリゼーションリクエストを受け取り、
複数の前記アクワイアラーのコンピュータが、他の対応する前記取引のためのオーソリゼーションリクエストをそれぞれの前記加盟店から受け取り、
複数の前記アクワイアラーのコンピュータが、前記取引ハンドラのプロセッサを介して前記対応するイシュアーのイシュアーコンピュータと通信して、それぞれの前記アカウント保有者のアカウントにおける前記リクエストされた各オーソリゼーションを承認するか又は否認するかを判断し、
前記方法が更に、
前記取引ハンドラのプロセッサにおいて、対応する前記イシュアー、前記加盟店、及び前記アクワイアラーのコンピュータに関連する各アクワイアラーと、各前記アカウント保有者の各前記アカウントを電子的に調整する段階と、
前記取引ハンドラのプロセッサにおいて、対応する前記イシュアーがそれぞれの前記アカウントを発行した前記それぞれのアカウント保有者について前記更新されたアカウント情報を対応する前記イシュアーから電子的に受け取る段階と、
を含む、請求項７に記載の方法。
【請求項１３】
リアルタイムで取引を実行するための加盟店のコンピュータで実行される方法であって、
加盟店のコンピュータの実行コードにおいて、アカウントにおける取引のための第１オーソリゼーションリクエストの初期否認をリアルタイムで電子的に受け取る段階を含み、
前記第１オーソリゼーションリクエストが、他の前記アカウントについて他のそのような情報を保存する電子バッチ操作で前記加盟店コンピュータによって以前に保存された前記アカウントについての情報を含み、
前記方法が更に、
前記初期否認を電子的に受け取る前記段階の後に、前記加盟店のコンピュータの実行コードにおいて、前記アカウントについて更新されたアカウント情報を取引ハンドラのプロセッサからリアルタイムで電子的に受け取る段階と、
前記更新されたアカウント情報を電子的に受け取る前記段階の後に、前記加盟店のコンピュータの実行コードにおいて、前記更新されたアカウント情報を含む前記取引のための第２オーソリゼーションリクエストをリアルタイムで送出する段階と、
前記第２オーソリゼーションリクエストを送出する前記段階の後に、前記加盟店のコンピュータの実行コードにおいて、前記取引のための第２オーソリゼーションリクエストの承認をリアルタイムで受け取る段階と、
を含む方法。
【請求項１４】
前記アカウントが、イシュアーによってアカウント保有者に発行され、前記第１及び第２オーソリゼーションリクエストの各々が、前記アカウント保有者のアカウントにおいてクレジットを供与するためのリクエストを含む、
請求項１３に記載の方法。
【請求項１５】
前記電子バッチ操作で前記加盟店コンピュータによって以前に保存された前記アカウントについての前記情報が、前記加盟店のアクワイアラーの前記取引ハンドラのプロセッサから双方向ユーザインタフェースを介して以前に受け取ったものである、
請求項１３に記載の方法。
【請求項１６】
前記取引ハンドラのプロセッサに通信可能に接続されたブラウザアプリケーションとのリアルタイムアクセスによって前記取引ハンドラのプロセッサから電子的に受け取られる前記アカウントについての情報を電子的に更新するための前記加盟店のコンピュータの実行コードを更に含む、
請求項１３に記載の方法。
【請求項１７】
前記アカウントに関して、前記第１及び第２オーソリゼーションリクエスト内のデータ間の相違は、
アドレス情報の変更と、
有効期限情報の変更と、
前記アカウントの保有者の名義情報の変更と、
前記アカウントのアカウント番号情報の変更と、
クレジット限度情報の変更と、
からなるグループから選択される、
請求項１３に記載の方法。
【請求項１８】
前記アカウントにおける前記取引に関して前記取引ハンドラのプロセッサに清算及び決済リクエストを送出するための前記加盟店のコンピュータの実行コードを更に含む、
請求項１３に記載の方法。
【請求項１９】
前記アカウントが、アカウント保有者によって金融取引システム内にそれぞれ保有された複数の前記アカウントのうちの１つであり、
複数のイシュアーが、それぞれの前記アカウントをそれぞれの前記アカウント保有者に発行し、
複数の前記加盟店のコンピュータが、前記対応するアカウント保有者による他の前記取引に関してそれぞれの前記アカウントにおけるオーソリゼーションリクエストを受け取り、
複数のアクワイアラーのコンピュータが、他の対応する前記取引のためのオーソリゼーションリクエストをそれぞれの前記加盟店のコンピュータから受け取り、
複数の前記アクワイアラーのコンピュータが、前記取引ハンドラのプロセッサを介して前記対応するイシュアーのイシュアーコンピュータと通信して、それぞれの前記アカウント保有者のアカウントにおける前記リクエストされた各オーソリゼーションを承認するか又は否認するかを判断し、
前記取引ハンドラのプロセッサが、対応する前記イシュアーのイシュアーコンピュータ、前記加盟店のコンピュータ、及び各前記アクワイアラーのコンピュータと各前記アカウント保有者の各前記アカウントを調整し、
前記取引ハンドラのプロセッサが、対応する前記イシュアーがそれぞれの前記アカウントを発行した前記それぞれのアカウント保有者について前記更新されたアカウント情報を対応する前記イシュアーから電子的に受け取る、
請求項１３に記載の方法。
【請求項２０】
前記加盟店のコンピュータによって実行されたときに、請求項１３の前記方法を実行する命令を含むコンピュータ読み出し可能媒体。
【国際調査報告】
2010528391.tif 000010